(57)【要約】【課題】簡単な構造で、前屈みの姿勢でも背中側が開かずに身体にフィットし、着用感が良好で運動しやすいパンツを提供する。【解決手段】下半身を覆うズボン本体１２と、ズボン本体１２の上端部を着用者のウエストに係止するウエスト部１４と、着用者の身体側と反対側面に設けられ着用状態で上下方向に位置するガイド部材２４と、ガイド部材２４に沿って上下に摺動する摺動部材２６と、摺動部材２６に取り付けられウエスト部１４に巻き回されたベルト本体１８を備える。ウエスト部１４は上端縁部１４ａが背中側で高い位置に形成されて幅広となり、ベルト本体１８は、摺動部材２６を介してガイド部材２４に沿ってウエスト部１４の背中側を上下に移動可能に位置している。ガイド部材２４と摺動部材２６は、ズボン本体１２の生地よりも摩擦が小さい素材で作られた紐体である。【選択図】図１
2007262586.tif 000002
【特許請求の範囲】
【請求項１】
下半身を覆うズボン本体と、前記ズボン本体の上端部を着用者のウエストに係止するウエスト部と、前記ウエスト部の背中側で着用者の身体側と反対側面に設けられ着用状態で上下方向に位置するガイド部材と、前記ガイド部材に係合し前記ガイド部材に沿って上下に摺動する摺動部材と、前記摺動部材に取り付けられ前記ウエスト部に巻き回されたベルト本体が設けられ、前記ウエスト部は上端縁部が背中側で高い位置に形成されて幅広となり、前記ベルト本体は前記摺動部材を介して前記ガイド部材に沿って前記ウエスト部の背中側を上下に移動可能に設けられたことを特徴とするパンツ。
【請求項２】
前記ガイド部材と前記摺動部材は、前記ズボン本体の生地よりも摩擦が小さい素材で作られた紐体であり、前記ガイド部は長手方向の両端部がウエスト部の上端縁部と下端縁部に各々固定され、前記摺動部材は前記ガイド部材と交差させて前記ウエスト部との間に挿通し折り返して両端部を前記ベルト本体に各々縫い付けて固定されていることを特徴とする請求項１記載のパンツ。
【請求項３】
前記ベルト本体は伸縮性を有する素材で形成され、前記摺動部材の両端部が固定されている部分には、伸縮性のないゴム止め布が設けられていることを特徴とする請求項２記載のパンツ。
【発明の詳細な説明】
【技術分野】
【０００１】
この発明は、スキーパンツ等の防寒性を有し、主に屋外等で着用するパンツに関する。
【背景技術】
【０００２】
従来、例えばスキーをする際に着用する防寒パンツは、特許文献１、２に開示されているように、下半身を覆うズボン本体と、ズボン本体をウエストに係止するウエスト部が設けられている。図５は、このような防寒パンツ１のウエスト部２の背中側を示したもので、ウエスト部２の上端縁部２ａは、背中の中心部分が高くなり幅広に形成され、ウエスト部２の背中の中心部分には、ウエスト当布３が重ねられて設けられている。ウエスト当布３は、ウエスト部２の挿通方向に開口された筒状に形成されている。ウエスト部２には、ベルト本体４が一周して巻き付けられ、ベルト本体４はウエスト当布３の裏側に挿通されて位置ずれを防いでいる。ベルト本体４は、伸縮性がなく強度が高い素材で作られているが、背中の中心付近のウエスト当布３の内側は、ゴム５により連結されて伸縮性を持たせている。ウエスト部２には、ベルト本体４を挿通するベルト通し６がベルト本体４の挿通方向に交差して設けられている。
【特許文献１】特開２００１−２７１２０６号
【特許文献２】特開２００３−１０５６０５号
【発明の開示】
【発明が解決しようとする課題】
【０００３】
上記従来の技術の場合、スキー等の運動をしたり座ったりして、膝関節や股関節を曲げて前屈みの姿勢をとると、図６に示すように、ウエスト部２の上端縁部２ａが着用者の背中に沿わず、外側に開いてしまい、隙間２ｂができるという問題があった。これは、ウエスト当布３にベルト本体４が挿通され、しゃがんだ姿勢では、ベルト本体４に張力が掛かり、ウエスト部２の上端縁部２ａ方向への力も働くが、ウエスト部２やウエスト当布３との間に摩擦があってベルト本体４は上方へ移動せず、ウエスト部２の上端縁部２ａを押さえることができなかった。このため、ウエスト部２の上端縁部２ａの隙間２ｂから背中に雨や雪が入ることがあり、防寒や防水の面で問題があった。また、ウエスト部２が身体にフィットしないため着用感がよくなく、またウエスト部２からアンダーウエアが出たり肌が見えたりすることがあり、外観もよくなかった。
【０００４】
この発明は、上記従来の技術の問題点に鑑みてなされたものであり、簡単な構造で前屈みの姿勢でも背中側が開かずに身体にフィットし、着用感が良好で運動しやすいパンツを提供することを目的とする。
【課題を解決するための手段】
【０００５】
本発明は、下半身を覆うズボン本体と、前記ズボン本体の上端部を着用者のウエストに係止するウエスト部と、前記ウエスト部の背中側で着用者の身体側と反対側面に設けられ着用状態で上下方向に位置するガイド部材と、前記ガイド部材に係合し前記ガイド部材に沿って上下に摺動する摺動部材と、前記摺動部材に取り付けられ前記ウエスト部に巻き回されたベルト本体が設けられ、前記ウエスト部は上端縁部が背中側で高い位置に形成されて幅広となり、前記ベルト本体は前記摺動部材を介して前記ガイド部材に沿って前記ウエスト部の背中側を上下に移動可能に設けられたパンツである。
【０００６】
さらに、前記ガイド部材と前記摺動部材は、前記ズボン本体の生地よりも摩擦が小さい素材で作られた紐体であり、前記ガイド部は長手方向の両端部がウエスト部の上端縁部と下端縁部に各々固定され、前記摺動部材は前記ガイド部材と交差させて前記ウエスト部との間に挿通し、折り返して両端部を前記ベルト本体に各々縫い付けて固定されている。
【０００７】
また、前記ベルト本体は伸縮性を有する素材で形成され、前記摺動部材の両端部が固定されている部分には、伸縮性のないゴム止め布が設けられている。前記ウエスト部の背中側には、前記ガイド部材と前記摺動部材を覆うウエスト当布が設けられている。
【発明の効果】
【０００８】
本発明のパンツは、前屈みの姿勢でも背中側のウエスト部上端縁が身体から開かずにフィットする。これにより、雨や雪の侵入を防ぎ、防寒性、防水性を維持することができる。また身体の動きにフィットするため着用感が良好で、動きやすいものである。さらに、ウエスト部からアンダーウエアが出たり肌が見えたりすることを防ぎ、外観上も良好となる。
【発明を実施するための最良の形態】
【０００９】
以下、この発明の実施形態について図面に基づいて説明する。図１〜図３はこの発明の一実施形態のパンツ１０を示すもので、図１〜図３はパンツ１０のウエスト部分の背中側を示している。パンツ１０は、例えばスキーパンツ等の防寒用の衣料であり、下半身を覆うズボン本体１２を有し、ズボン本体１２は防水性、防寒性を有する生地で作られている。
【００１０】
ズボン本体１２の上端部１２ａには、着用者のウエストに係止されるウエスト部１４が設けられている。ウエスト部１４は、着用者のウエストを水平方向に巻き回され、着用者の腹部側で開かれ、図示しないスライドファスナによる開閉部が設けられている。ウエスト部１４の上端縁部１４ａは、背中の中央部分がやや高い位置に形成されて幅広となっている。ウエスト部１４の背中の中央部分には、ウエスト当布１６がウエスト部１４に重ねられて取り付けられ、ウエスト当布１６は、ウエスト部１４の挿通方向に開口する筒状に取り付けられている。
【００１１】
ウエスト部１４には、ベルト本体１８が、ウエスト当布１６内側に挿通されてウエスト部１４を巻き回されて取り付けられている。ベルト本体１８は、皮や合成樹脂、布等ある程度柔軟性を有し伸縮性を持たない素材で作られ、腹部側にバックル等が取り付けられて着脱自在に係止されている。そして、ベルト本体１８の背中の中心付近はゴム２０で連結されて伸縮性を持たせている。なおゴム２０は、ウエスト当布１６の裏側に収容される長さとなっている。ウエスト部１４には、ベルト本体１８を挿通するベルト通し２２が、ベルト本体１８の挿通方向に交差して設けられている。
【００１２】
ウエスト部１４には、ウエスト当布１６の内側にガイド部材２４が設けられている。ガイド部材２４は、生地を細長くカットして幅方向に二つ折りしたもので、側縁部がほつれないように中に折り込んで縫い合わせられている。使用する生地は、タフタ等の摩擦が小さく滑りやすいものである。ガイド部材２４は、ウエスト部１４の背中の中心に設けられ、ガイド部材２４の長手方向がウエスト部１４に対して垂直方向に位置し、ガイド部材２４の上端部はウエスト部１４の上端縁部１４ａに、ガイド部材２４の下端部はウエスト部１４の下端縁部１４ｂに各々縫い付けられて固定されている。
【００１３】
ここでベルト本体１８は、ガイド部材２４とウエスト当布１６の間に挿通されており、ベルト本体１８のゴム２０には、ガイド部材２４に摺動可能に係止されるループ状の摺動部材２６が設けられている。摺動部材２６は、ガイド部材２４と同様に生地を細長くカットして幅方向に二つ折りしたもので、側縁部がほつれないように中に折り込んで縫い合わせられている。使用する生地は、タフタ等の摩擦が小さく滑りやすいものである。摺動部材２６は、ガイド部材２４と交差する方向から、ガイド部材２４とウエスト部１４の間に挿通され、折り返して環状とし、長手方向の両端部をベルト本体１８のゴム２０の一側縁部に各々縫い付けて固定されている。
【００１４】
さらに、ベルト本体１８のゴム２０には、摺動部材２６の両端部が縫い付けられている２箇所を含む部分に、一枚のゴム止め布２８が取り付けられている。ゴム止め布２８は、伸縮性がない生地であり、ゴム２０の、身体と反対側面、つまりウエスト当布１６に当接する面に縫い付けられている。ゴム止め布２８により、摺動部材２６の端部同士の間隔が一定に保たれ、ガイド部材２４との摺動性を良好に保つ。そして、摺動部材２６の両端部は、ゴム２０の身体と反対側面、つまりウエスト当布１６に当接する面に、ゴム２０の幅いっぱいに縫い付けられている。これにより、環状になった摺動部材２６の内側にガイド部材２４が挿通され、互いに抵抗が小さい生地で作られているため、容易にガイド部材２４に沿ってベルト本体１８が上下方向に摺動する。
【００１５】
この実施形態のパンツ１０の使用状態について説明する。スキー等の運動中に膝関節や股関節を曲げて前屈みの姿勢をとると、背中部分のズボン本体１２が引き下げられ、ベルト本体１８にはウエスト部１４の上端縁部１４ａに近づく方向に力がかかり、ベルト本体１８はガイド部材２４に沿って滑りウエスト部１４の上端縁部１４ａに近い部分に移動する。そして、上端縁部１４ａ付近を着用者の背中に押さえて密着させる。着用者の背中部分は、ウエスト部１４にゴム２０が設けられているため、高い伸縮性を有して着用者に密着する。直立の姿勢に戻ったときは、ベルト本体１８がウエスト部１４の下端縁部１４ｂに近づく方向に力がかかり、ウエスト部１４の下端縁部１４ｂに近い部分に戻り、着用者のウエストに水平に巻き回した状態に戻る。着用者がリフトや雪面に座ったり立ったりする動作も同様である。
【００１６】
この実施形態のパンツ１０によれば、簡単な構造で、前屈みの姿勢でもパンツ１０のウエスト部分が背中に密着し、ウエスト部１４の上端縁部１４ａと背中の間に隙間が生じることがなく、雨や雪の進入を防ぎ、効果的に防寒性や防水性を維持することができる。また、パンツ１０からアンダーウエアが出たり、肌が見えたりすることもなく、外観も良好である。ウエスト部１４が身体の動きにフィットするため、着用感が良好で動きやすいものである。さらに、ガイド部材２４と摺動部材２６はウエスト当布１６の裏側に収容されるため、外観がすっきりとしている。
【００１７】
なお、この発明のパンツは、上記実施の形態に限定されるものではなく、防寒用のパンツ以外に、子供用のズボンや作業ズボン等に利用してもよい。ガイド部材と摺動部材の素材は、タフタ等の生地以外に、抵抗が小さい素材であれば自由に選択可能である。ベルト本体には、ゴムがなくてもよく、その際はゴム止め布が不要となる。
【図面の簡単な説明】
【００１８】
【図１】この発明の一実施形態のパンツの背面図である。
【図２】この発明の一実施形態のパンツの、ウエスト当布を外した状態を示す正面図である。
【図３】この発明の一実施形態のパンツの部分破断横断面図である。
【図４】この発明の一実施形態のパンツの使用状態を示す左側面図である。
【図５】従来の技術のパンツの正面図である。
【図６】従来の技術のパンツの使用状態を示す左側面図である。
【符号の説明】
【００１９】
１０  パンツ
１２  ズボン本体
１４  ウエスト部
１６  ウエスト当布
１８  ベルト本体
２０  ゴム
２２  ベルト通し
２４  ガイド部材
２６  摺動部材
２８  ゴム止め布
【図１】
2007262586.tif 000003
【図２】
2007262586.tif 000004
【図３】
2007262586.tif 000005
【図４】
2007262586.tif 000006
【図５】
2007262586.tif 000007
【図６】
2007262586.tif 000008